(57)【特許請求の範囲】
【請求項１】
光加入者線を終端し宅内機器インタフェースを提供するネットワーク終端部と、発呼及び着呼に応じて該ネットワーク終端部の起動制御を行う発着呼起動制御部と、商用電源を入力とし該ネットワーク終端部及び該発着呼起動制御部に所要電力を供給すると共に商用電源が故障時においては、バックアップバッテリにより電力供給を行う電源部より構成される光加入者ネットワーク装置において、
前記商用電源または、前記バックアップバッテリから電源が供給されている場合に、商用電源電圧またはバックアップバッテリ電圧が所定の値より低下しており、且つ前記ネットワーク終端部が通信中であれば、電圧が低下している通知を該ネットワーク終端部を介して網側装置に通知し、
前記ネットワーク終端部が非通信中であれば、該発着呼起動制御部を起動し、電圧が低下している通知を該ネットワーク終端部を介して網側装置に通知することを特徴とする光加入者ネットワーク装置の電源系監視方法。
【請求項２】
光加入者線を終端し宅内機器インタフェースを提供するネットワーク終端部と、発呼及び着呼に応じて該ネットワーク終端部の起動制御を行う発着呼起動制御部と、商用電源を入力とし該ネットワーク終端部及び該発着呼起動制御部に所要電力を供給するとともに、該商用電源が故障時においては、バックアップバッテリにより電力供給を行う電源部より構成される光加入者ネットワーク装置において、
前記商用電源の電圧を監視し、規定値以下の電圧まで低下した場合、前記ネットワーク終端部へ商用電源警報信号を送出する商用電源警報送出手段と、前記バックアップバッテリの電圧を監視し、規定値以下の電圧まで低下した場合、該ネットワーク終端部へバックアップバッテリ警報信号を送出するバックアップバッテリ警報送出手段とを有する電源部と、
前記電源部から前記商用電源警報信号及び前記バックアップバッテリ警報信号を網側装置へ転送するネットワーク終端部とを含むことを特徴とする光加入者ネットワーク装置の電源系監視方式。
【請求項３】
前記電源部は、
非通信時において、商用電源の電圧を監視し、規定値以下の電圧まで低下した場合、前記発着呼起動制御部へ起動要求信号を送出すると共に、前記ネットワーク終端部へ商用電源警報信号を送出する信号送出手段と、
前記バックアップバッテリの電圧を監視し、規定値以下の電圧まで低下した場合、前記発着呼起動制御部へ起動要求信号を送出すると共に前記ネットワーク終端部へバックアップバッテリ警報信号を送出する請求項２記載の光加入者ネットワーク装置の電源系監視方式。
【発明の詳細な説明】
【０００１】
【産業上の利用分野】
本発明は、光加入者ネットワーク装置の電源系監視方法及び光加入者ネットワーク装置の電源系監視方式に係り、特に、加入者宅内に設置される光加入者ネットワーク装置の電源系監視方法及び光加入者ネットワーク装置の電源系監視方式に関する。
【０００２】
【従来の技術】
図５は、光加入者ネットワークのシステム構成を示す。光加入者ネットワークのシステムは、光加入者ネットワーク装置１００、宅内機器２００、商用電源３００、網側装置４００及び光ファイバ５０より構成される。
【０００３】
図６は、従来の光加入者ネットワーク装置の構成を示す。光加入者ネットワーク装置は、ネットワーク終端部１０、発着呼起動制御部２０及び、電源部３０より構成される。
【０００４】
ネットワーク終端部１０は、宅内機器インタフェース部１１、回線終端部１２及び電気／光変換部１３から構成される。宅内機器インタフェース部１１は、電話、ＩＳＤＮ等のインタフェースを提供する。回線終端部１２は、宅内機器インタフェース部１１からの情報・信号を光ファイバ伝送路５０へ送出するためのフレーム変換、速度変換及び符号変換を行う。電気／光変換部１３は、回線終端部１２からの電気信号を電気／光変換し、光ファイバ５０を介して網側装置４００との間で光信号の送受信を行う。
【０００５】
一般に、電話回線及びＩＳＤＮ回線のような公衆通信回線は、呼率が比較的低く、所定時間内に回線が通信中である時間の割合は、数％以下である。従って、電話回線及びＩＳＤＮ回線のような公衆通信サービスを提供する光加入者ネットワーク装置には、主要回路部分であるネットワーク終端部１０を非通信時には停止し、通信時のみネットワークを起動する呼毎起動方式が採用されている。これにより、装置の平均消費電力の低減が図られ、バックアップバッテリ容量も小さくすることができる（参考文献：例えば、K.Kumozaki et al.: "Functional structure of the fiber-optic passive double star system," IEICE Transactionon Communications, vol.E-75-B, No.9, pp. 832-840, September 1992.) 。
【０００６】
発着呼起動制御部２０は、発呼検出部２１、起動制御部２２及び着呼検出部２３より構成される。ここで、非通信時である場合には、ネットワーク終端部１０が停止しているとする。ここで発呼があった場合、宅内機器２００から光加入者ネットワーク装置へ発呼信号が送出される。この時の、ネットワーク終端部１０は停止しているため、発呼信号は、発着呼起動制御部２０の発呼検出部２１で検出される。発呼検出部２１は、発呼信号を検出すると、起動制御部２２へ発呼検出信号を転送する。起動制御部２２は、発呼検出信号を受信するとネットワーク終端部１０の宅内機器インタフェース部１１、回線終端部１２、電気／光変換部１３へ起動信号を送出し、ネットワーク終端部１０が起動され、宅内機器２００と網側装置４００との間で通信が開始される。装置実現上は発着呼起動制御部２０の発呼検出部２１は、宅内機器インタフェース部１１の一部として構成することも可能である。
【０００７】
一方、非通信時において着呼があった場合、網側装置４００から光加入者ネットワーク装置１００へ着呼信号が送出される。このとき、ネットワーク終端部１０は停止しているため、着呼信号は発着呼起動制御部２０の着呼検出部２３で検出される。着呼検出部２３は着呼信号を検出すると、起動制御部２２へ着呼検出信号を転送する。以下、発呼の場合と同様に、ネットワーク終端部１０が起動され、宅内機器２００と網側装置４００との間で通信が開始される。なお、着呼検出部２３は、装置実現上、電気／光変換部１３の一部として構成することも可能である。
【０００８】
電源部３０は、ＡＣ／ＤＣ変換部３１、バックアップバッテリ３２及びＤＣ／ＤＣ変換部３３から構成される。ＡＣ／ＤＣ変換部３１は、商用電源３００からの商用交流電源（ＡＣ１００Ｖ）をＡＣ／ＤＣ変換し、ＤＣ／ＤＣ変換部３３へ直流電圧を出力すると同時に、バックアップバッテリ３２の充電を行う。ＤＣ／ＤＣ変換部３３では、入力直流電圧を所要電圧に変換し、光加入者ネットワーク装置１００の各部に電力を供給する。停電故障等により商用電源３００が断となった場合は、バックアップバッテリ３２からＤＣ／ＤＣ変換部３３へ電力が供給される。
【０００９】
【発明が解決しようとする課題】
しかしながら、上記従来の光加入者ネットワーク装置は、停電故障等により商用電源が断となり、バックアップバッテリにより動作していることを網側装置では認識できない。また、バックアップバッテリにより動作中、時間経過に伴うバックアップバッテリの放電により、光加入者ネットワーク装置に対する電力供給が停止し、光加入者ネットワーク装置が動作しなくなる。このような場合、網側装置では、光加入者ネットワーク装置の故障であるのか、停電故障等によって商用電源が断となり、バックアップバッテリによる動作の後、バックアップバッテリの放電により光加入者ネットワーク装置が動作しなくなったのか識別できないという問題がある。
【００１０】
さらに、非通信時において、商用電源が断となったり、バックアップバッテリが放電した場合は、光加入者ネットワーク装置が停止状態であるため、網側装置でこれらの電源系の異常を認識できないという問題もある。
【００１１】
このように、従来の光加入者ネットワーク装置においては、商用電源断及びバックアップバッテリ放電の電源系の異常を直接網側から監視できず、保守運用上の問題がある。
【００１２】
本発明は、上記の点に鑑みなされたもので、上記従来の問題点を解決し、網側装置において、電源系の異常であるのか、または装置故障であるのか遠隔監視を可能とし、保守運用性を高めることができる光加入者ネットワーク装置の電源系監視方式を提供することを目的とする。
【００１３】
【課題を解決するための手段】
本発明の光加入者ネットワーク装置の電源系監視方法は、光加入者線を終端し宅内機器インタフェースを提供するネットワーク終端部１０と、発呼及び着呼に応じてネットワーク終端部の起動制御を行う発着呼起動制御部２０と、商用電源を入力としネットワーク終端部１０及び発着呼起動制御部２０に所要電力を供給するとともに商用電源が故障時においては、バックアップバッテリ３２により電力供給を行う電源部３０より構成される光加入者ネットワーク装置１００において、商用電源３００またはバックアップバッテリ３２から電源が供給されている場合に、商用電源電圧またはバックアップバッテリ電圧が所定の値より低下しており、且つネットワーク終端部１０が通信中であれば、電圧が低下している通知をネットワーク終端部１０を介して網側装置４００に通知し、ネットワーク終端部１０が非通信中であれば、発着呼起動制御部２０を起動し、電圧が低下している通知をネットワーク終端部１０を介して網側装置４００に通知する。
【００１４】
また、本発明は、光加入者線を終端し宅内機器インタフェースを提供するネットワーク終端部１０と、発呼及び着呼に応じてネットワーク終端部１０の起動制御を行う発着呼起動制御部２０と、商用電源を入力としネットワーク終端部及び発着呼起動制御部２０に所要電力を供給するとともに、商用電源が故障時においては、バックアップバッテリにより電力供給を行う電源部３０より構成される光加入者ネットワーク装置１００において、商用電源３００の電圧を監視し、規定値以下の電圧まで低下した場合、ネットワーク終端部１０へ商用電源警報信号を送出する商用電源警報送出手段と、バックアップバッテリの電圧を監視し、規定値以下の電圧まで低下した場合、ネットワーク終端部１０へバックアップバッテリ警報信号を送出するバックアップバッテリ警報送出手段とを有する電源部３０と、電源部３０から商用電源警報信号及びバックアップバッテリ警報信号を網側装置４００へ転送するネットワーク終端部１０とを含む。
【００１５】
また、電源部３０は、非通信時において、商用電源３００の電圧を監視し、規定値以下の電圧まで低下した場合、発着呼起動制御部２０へ起動要求信号を送出すると共に、ネットワーク終端部１０へ商用電源警報信号を送出する信号送出手段と、バックアップバッテリの電圧を監視し、規定値以下の電圧まで低下した場合、発着呼起動制御部２０へ起動要求信号を送出すると共にネットワーク終端部１０へバックアップバッテリ警報信号を送出する。
【００１６】
【作用】
本発明は、光加入者ネットワーク装置において、商用電源及びバックアップバッテリの電圧を監視し規定値以下の電圧まで低下した場合、商用電源警報信号及びバックアップバッテリ警報信号を網側装置に送出することにより、網側装置では、これらの信号を受信することにより、光加入者ネットワーク装置の状態を把握することができる。
【００１７】
さらに、非通信時において、商用電源あるいは、バックアップバッテリの電圧が規定値以下の電圧まで低下した場合に自律的に光加入者ネットワーク装置を起動し、商用電源警報信号及び、バックアップバッテリ警報信号を網側装置へ送出することにより、商用電源断及びバックアップバッテリ放電の電源系の異常を直接網側から監視できるようにし、保守運用性の向上を実現する。
【００１８】
【実施例】
以下、本発明の実施例を図面と共に説明する。
【００１９】
図１は、本発明の一実施例の光加入者ネットワーク装置の構成図である。同図中、図５と同一構成部分には同一符号を付し、その説明を省略する。図１に示すシステムは、図５の電源部３０の構成に電圧監視部３４及び信号線ａ，ｂ，ｃ，ｄが追加された構成である。信号線ａは商用電源３００からの電圧情報を電圧監視部３４に送る。信号線ｂは、バックアップバッテリ３２からの電圧情報を電圧監視部３４に送る。信号線ｃは、電源部３０の電圧監視部３４からネットワーク終端部１０の回線終端部１２に警報信号を送出するための信号線である。信号線ｄは、電源部３０の電圧監視部３４から起動制御部２２に起動信号を送出する信号線である。
【００２０】
電圧監視部３４は、信号線ａを介して商業電源３００の電圧を、信号線ｂを介してバックアップバッテリ３２の電圧を監視する。停電故障等により商用電源電圧が規定値以下の電圧まで低下した場合、信号線ｃを介して回線終端部１２へ商用電源警報信号を送出する。時間経過に伴いバックアップバッテリ３２の放電によりバックアップバッテリ電圧が規定値以下の電圧まで低下した場合、光加入者ネットワーク装置１００が間もなく停止することを網側装置４００に通知するため、信号線ｃを介して回線終端部１２へバックアップバッテリ警報信号を送出する。回線終端部１２は、電圧監視部３４からの商用電源警報信号及びバックアップバッテリ警報信号を上りフレームに多重化し、電気／光変換部１３を介して光ファイバ伝送路５０に送出する。
【００２１】
網側では、商用電源警報信号を受信することにより、商用電源に異常が発生し、光加入者ネットワーク装置１００がバックアップバッテリで動作していることを認識する。もし、商用電源異常が回復しない場合は、バックアップバッテリ３２のバックアップ時間経過後、通信が途絶えることが想定されるため、予防保全方策をとることができる。
【００２２】
また、網側でバックアップバッテリ警報信号を受信することにより、バックアップバッテリの放電が進み、間もなく光加入者ネットワーク装置１００が停止することを知ることができる。従って、バックアップバッテリ警報信号受信後、通信断となった場合は、装置故障ではなく、商用電源回復に伴い通信可能となることを網側保守者が認識することができる。
【００２３】
次に、非通信時においての動作について説明する。非通信時においては、ネットワーク終端部１０は停止しているため、電源系の異常により、電圧監視部３４から商用電源警報信号或いはバックアップバッテリ警報信号が信号線ｃを介して回線終端部１２に転送されても、これらの信号は網側装置４００に送出されない。従って、非通信時において、電源系の異常が検知された場合、ネットワーク終端部１０を自律的に起動する必要がある。
【００２４】
図１において、電圧監視部３４が商用電源３００あるいはバックアップバッテリ３２の電源異常を検出した場合、信号線ｃに商用電源警報信号あるいは、バックアップバッテリ警報信号を送出すると共に、信号線ｄに起動要求信号を送出する。起動制御部２２は、起動要求信号を電圧監視部３４から受信すると、発呼あるいは、着呼起動の場合と同様に、ネットワーク終端部１０の宅内機器インタフェース部１１、回線終端部１２及び電気／光変換部１３へ起動信号を送出し、ネットワーク終端部１０を起動する。ネットワーク終端部１０起動後、回線終端部１２は、電圧監視部３４からの商用電源警報信号及びバックアップバッテリ警報信号を上りフレームに多重化し、電気／光変換部１３を介して光ファイバ伝送路５０に送出する。
【００２５】
図２は、本発明の一実施例の電圧監視部３４の構成を示すブロック図である。同図に示す電圧監視部３４は、商用電源電圧比較部３４１、バックアップバッテリ電圧比較部３４２、通信・非通信判定部３４３、警報信号生成部３４５及び起動信号生成部３４６より構成される。
【００２６】
ここで、通信時は、信号線ａより商用電源３００からの電圧値Ｖa が商用電源電圧比較部３４１に入力されると、商用電源電圧比較部３４１は、所定の商用電源電圧値Ｖaminと比較し、入力された電圧値Ｖa が所定の商用電源電圧値Ｖaminより低いか否かを判定する。通信・非通信判定部３４３において、通信状態であるか否かを判定し、通信状態であり、入力された電圧値Ｖa が所定の商用電源電圧値Ｖaminより低い場合には、警報信号生成部３４５において、商用電源の警報信号を生成し、信号線ｃを介して回線終端部１２に送出する。
【００２７】
また、信号線ｂよりバックアップバッテリ３２からの電圧値Ｖb がバックアップバッテリ電圧比較部３４２に入力されると、バックアップ電圧比較部３４２は、所定のバックアップバッテリ電圧値と比較し、入力された電圧値Ｖb が所定のバックアップバッテリの電圧値Ｖbminより低いか否かを判定する。通信・非通信判定部３４３において、通信状態であるか否かを判定し、通信状態であり入力された電圧値Ｖb が所定のバックアップバッテリの電圧値Ｖbminより低い場合には、警報信号生成部３４５においてバックアップバッテリの警報信号を生成し、信号線ｃを介して回線終端部１２に送出する。
【００２８】
非通信時は、信号線ａより商用電源３００からの電圧値Ｖa が商用電源電圧比較部３４１に入力されると、商用電源電圧比較部３４１は、所定の商用電源電圧値Ｖaminと比較し、入力された電圧値Ｖa が所定の商用電源電圧値Ｖaminより低いか否かを判定する。通信・非通信判定部３４３において、非通信状態であるか否かを判定し、非通信状態であり、入力された電圧値Ｖa が所定の商用電源電圧値Ｖaminより低い場合には、起動信号生成部３４６において、発着呼起動制御部２０の起動制御部２２を起動させるための起動信号を生成し、信号線ｄを介して起動制御部２２に送出する。これにより、起動制御部２２は、宅内機器インタフェース部１１、回線終端部１２及び電気／光変換部１３を起動させ、商用電源３００の異常状態を網側装置に通知する。
【００２９】
また、信号線ｂよりバックアップバッテリ３２電圧値がバックアップバッテリ電圧比較部３４２に入力されると、バックアップバッテリ比較部３４２は、所定のバックアップバッテリ電圧値Ｖbminと比較し、入力された電圧値Ｖb が所定のバックアップバッテリ電圧値Ｖbminより低いか否かを判定する。通信・非通信判定部３４３において、非通信状態であるか否かを判定し、非通信状態であり、入力された電圧値Ｖb が所定のバックアップバッテリ電圧値Ｖbminより低い場合には、起動信号生成部３４６において、発着呼起動制御部２０の起動制御部２２を起動させるための起動信号を生成し、信号線ｄを介して起動制御部２２に送出する。これにより、起動制御部２２は、宅内機器インタフェース部１１、回線終端部１２及び電気／光変換部１３を起動させ、バックアップバッテリ３２の異常状態を網側装置に通知する。
【００３０】
また、信号線ａ及びｂより上記の様に本発明は、光加入者ネットワーク装置において、商用電源３００及びバックアップバッテリ３２の電圧を監視し、所定の値以下の電圧まで低下した場合、商用電源警報信号及びバックアップバッテリ警報信号を送出し、商用電源断及びバックアップバッテリの放電の電源系の異常を直接、網側装置４００で認識できる。
【００３１】
さらに、光加入者ネットワーク装置が停止している非通信時においても警報信号送出を可能となるよう、電源系異常発生時に光加入者ネットワーク装置１００を起動し、商用電源警報信号及びバックアップバッテリ警報信号を送出することができる。
【００３２】
さらに、電源部３０は上記の実施例の構成に限定されることなく以下のように動作する構成であればよい。
【００３３】
図３は、本発明の一実施例の電源部の動作を示すフローチャートである。
【００３４】
現在電源部３０に供給されている電源は、商用電源３００から供給されているのか、バックアップバッテリ３２より供給されているのか判定し（ステップ１）、商用電源３００から供給されている場合には、商用電源電圧Ｖa が所定の値Ｖamin以下（Ｖa ≦Ｖamin）である場合には（ステップ２，Ｙｅｓ）、商用電源警報信号を生成する（ステップ３）。このとき、ネットワーク終端部１０が非通信状態である場合には（ステップ４）、起動要求信号を生成し、当該起動要求信号を発着呼起動部２０に対して送信する（ステップ５）。ネットワーク終端部１０が通信状態である場合にはステップ５の処理はスキップする。ステップ３で生成された商用電源警報信号をネットワーク終端部１０に送出する（ステップ６）。
【００３５】
一方、ステップ１において、電源部３０に供給されている電源がバックアップバッテリ３２からである場合には、バックアップバッテリ電圧Ｖb が所定の値Ｖbmin以下である場合（Ｖb ≦Ｖbmin）には（ステップ７，Ｙｅｓ）、バックアップバッテリ警報信号を生成する（ステップ８）。このとき、ネットワーク終端部１０が非通信状態である場合には（ステップ９）、起動要求信号を生成し、当該起動要求信号を発着呼起動部２０に対して送信する（ステップ１０）。ネットワーク終端部１０が通信状態である場合にはステップ１０の処理はスキップする。ステップ８で生成されたバックアップバッテリ警報信号をネットワーク終端部１０に送出する（ステップ１１）。
【００３６】
図４は、本発明の一実施例の電源系故障時動作の例を示す。同図において、Ｖanonは、商用電源標準電圧値、Ｖaminは商用電源最小基準電圧値、Ｖbnomはバックアップバッテリ標準電圧値、Ｖbminはバックアップバッテリ最小基準電圧値である。同図において、商用電源電圧Ｖa が最小基準値Ｖaminより低くなった時点ｑにおいて、商用電源警報が出力され、それ以降はバックアップバッテリに切り替わる（ｒ）。時点ｓにおいて、バックアップバッテリ電源電圧Ｖb がバックアップバッテリ最小基準電圧値Ｖbminより低くなった場合には、バックアップバッテリ警報が出力される。この後復旧まで当該装置は、時間ｔ間停止状態となる。時点ｕ’にて商用電源が回復するとこの後は、当該装置は、商用電源により通常動作を行う。さらに、バックアップバッテリが時間ｔの間消費されたが、時点ｕより商用電源が通常に復旧したため、バックアップバッテリ電圧Ｖb は、標準電圧値に戻る。
【００３７】
上記のように、商用電源の電圧が低下した場合に、商用電源に異常が発生していることをネットワーク終端部１０を介して網側装置４００に通知することができ、さらに、バックアップバッテリの電圧が低下した場合に、バックアップバッテリに異常が発生していることを同様にネットワーク終端部１０を介して網装置４００に通知できる。さらに、光加入者ネットワーク装置１００が非通信時であっても、商用電源の電圧またはバックアップバッテリの電圧が低下した場合に発着呼起動制御部２０を起動させた後、電源異常を網側装置４００に通知することができるため、網側の装置は異常原因を把握することが可能となる。
【００３８】
【発明の効果】
上述のように本発明によれば、網側の装置では、光加入者ネットワーク装置が停止状態になった場合に、商用電源の異常であるのか、装置故障であるのか等の遠隔監視が可能となることにより、予防保全方策等の対処を行うことができ、保守運用性を向上することが可能である。
【図面の簡単な説明】
【図１】本発明の一実施例の光加入者ネットワーク装置の構成図である。
【図２】本発明の一実施例の電圧監視部の構成を示すブロック図である。
【図３】本発明の一実施例の電源部の動作を示すフローチャートである。
【図４】本発明の位置実施例の電源系故障時動作の例を示す図である。
【図５】光加入者ネットワークシステムの構成図である。
【図６】従来の光加入者ネットワーク装置の構成図である。
【符号の説明】
１０  ネットワーク終端部
１１  宅内機器インタフェース部
１２  回線終端部
１３  電気／光変換部
２０  発着呼起動制御部
２１  発呼検出部
２２  起動制御部
２３  着呼検出部
３０  電源部
３１  ＡＣ／ＤＣ変換部
３２  バックアップバッテリ
３３  ＤＣ／ＤＣ変換部
３４  電源監視部
５０  光ファイバ
１００  光加入者ネットワーク装置
２００  宅内機器
３００  商用電源
４００  網側装置
【図１】
0003564483.tif 000002
【図２】
0003564483.tif 000003
【図３】
0003564483.tif 000004
【図４】
0003564483.tif 000005
【図５】
0003564483.tif 000006
【図６】
0003564483.tif 000007